(57)【要約】【課題】表示板と指標部に立体感を与えて、意匠性が高く視認性の良い指針式表示装置を提供する。【解決手段】指示部６を有する指針７と、指示部６の回動に対応するように指示部６先端に対向して配置された筒状の立体表示板８と、指針７および立体表示板８の前方に配置され指標部１０を有する透明な平板表示板１１と、立体表示板８および平板表示板１１に光を導き入れる発光ダイオード１５とを備え、立体表示板８は、内面が前方側から後方側にかけて狭まるように傾斜する傾斜面３１であり、この傾斜面に発光ダイオード１５からの光を透過する太目盛指標部３２（凸状指標部）を設ける。【選択図】図２
2010127813.tif 000002
【特許請求の範囲】
【請求項１】
指示部を有する指針と、前記指示部の回動に対応するように前記指示部先端に対向して配置された筒状の立体表示板と、前記指針および前記立体表示板の前方に配置され指標部を有する透明な平板表示板と、前記立体表示板および前記平板表示板に光を導き入れる光源とを備え、前記立体表示板は、内面が前方側から後方側にかけて狭まるように傾斜する傾斜面であり、この傾斜面に前記光源からの光を透過する凸状指標部を設けたことを特徴とする指針式表示装置。
【請求項２】
前記凸状指標部を除いた前記傾斜面に前記光源からの光を遮光する遮光部を設けたことを特徴とする請求項１に記載の指針式表示装置。
【請求項３】
指示部を有する指針と、前記指示部の回動に対応するように前記指示部先端に対向して配置された筒状の立体表示板と、前記指針および前記立体表示板の前方に配置され指標部を有する透明な平板表示板と、前記立体表示板および前記平板表示板に光を導き入れる光源と、前記立体表示板および前記指針の後方に配置された装飾板とを備え、前記立体表示板は、内面が前方側から後方側にかけて狭まるように傾斜する傾斜面であり、この傾斜面に前記光源からの光を遮光する遮光部と光を透過する凸状指標部とを設けると共に、前記遮光部に前記光源からの光を前記装飾板面に漏らす開口部を設けたことを特徴とする指針式表示装置。
【請求項４】
前記装飾板は表面側に微細な模様を有していることを特徴とする請求項３に記載の指針式表示装置。
【請求項５】
前記凸状指標部は前方側から後方側にかけて直線状に設けられた目盛指標部であり、前記平板表示板を貫通して前方側に突出する突出部を有することを特徴とする請求項１から請求項４の何れかに記載の指針式表示装置。
【請求項６】
前記凸状指標部は前方側から後方側にかけて直線状に設けられた目盛指標部であり、前記平板表示板上に前記目盛指標部の延長線上に位置するように設けられた目盛部を有する環状部材を配置したことを特徴とする請求項１から請求項４の何れかに記載の指針式表示装置。
【請求項７】
前記平板表示板と前記立体表示板との間に透過性着色部を設けたことを特徴とする請求項１から請求項６の何れかに記載の指針式表示装置。
【請求項８】
前記平板表示板と前記環状部材との間に透過性着色部を設けたことを特徴とする請求項６に記載の指針式表示装置。
【発明の詳細な説明】
【技術分野】
【０００１】
本発明は、指針を備えた指針式表示装置に関するものである。
【背景技術】
【０００２】
自動車やオートバイなどの車両に搭載される指針式の表示装置として、例えば下記特許文献１がある。特許文献１に於ける指針表示装置は、計器ムーブメント５の前面側に配置され所定の文字４ａ，目盛り４ｂ等（指標部）が施された文字板４（表示板）を略円錐状に形成し、指針７の指針本体７ａ（指示部）が文字４ａ，目盛り４ｂ等に沿って回転するようにしたものである。この様に構成したことにより、表示装置を立体的に視認することができ、意匠上のおもしろみが生じ、かつ、高級感のある表示装置とすることができるというものである。
【特許文献１】実開平５−２３０４６号公報
【発明の開示】
【発明が解決しようとする課題】
【０００３】
しかしながら、特許文献１記載の指針表示装置は、文字４ａ，目盛り４ｂ等（指標部）が施された文字板４（表示板）が略円錐状であるため、文字板４自体は立体的であるが、円錐面に指標部が施されているために指標部に立体感が欠け、且つ視認しにくいという欠点がある。
【０００４】
本発明はこの様な点に鑑みなされたもので、表示板と指標部に立体感を与えて、意匠性が高く視認性の良い指針式表示装置を提供することを目的とする。
【課題を解決するための手段】
【０００５】
本発明は前記目的を達成するため、指示部を有する指針と、前記指示部の回動に対応するように前記指示部先端に対向して配置された筒状の立体表示板と、前記指針および前記立体表示板の前方に配置され指標部を有する透明な平板表示板と、前記立体表示板および前記平板表示板に光を導き入れる光源とを備え、前記立体表示板は、内面が前方側から後方側にかけて狭まるように傾斜する傾斜面であり、この傾斜面に前記光源からの光を透過する凸状指標部を設けたものである。
【０００６】
また、前記凸状指標部を除いた前記傾斜面に前記光源からの光を遮光する遮光部を設けたものである。
【０００７】
また、指示部を有する指針と、前記指示部の回動に対応するように前記指示部先端に対向して配置された筒状の立体表示板と、前記指針および前記立体表示板の前方に配置され指標部を有する透明な平板表示板と、前記立体表示板および前記平板表示板に光を導き入れる光源と、前記立体表示板および前記指針の後方に配置された装飾板とを備え、前記立体表示板は、内面が前方側から後方側にかけて狭まるように傾斜する傾斜面であり、この傾斜面に前記光源からの光を遮光する遮光部と光を透過する凸状指標部とを設けると共に、前記遮光部に前記光源からの光を前記装飾板面に漏らす開口部を設けたものである。
【０００８】
また、前記装飾板は表面側に微細な模様を有しているものである。
【０００９】
また、前記凸状指標部は前方側から後方側にかけて直線状に設けられた目盛指標部であり、前記平板表示板を貫通して前方側に突出する突出部を有するものである。
【００１０】
また、前記凸状指標部は前方側から後方側にかけて直線状に設けられた目盛指標部であり、前記平板表示板上に前記目盛指標部の延長線上に位置するように設けられた目盛部を有する環状部材を配置したものである。
【００１１】
また、前記平板表示板と前記立体表示板との間に透過性着色部を設けたものである。
【００１２】
また、前記平板表示板と前記環状部材との間に透過性着色部を設けたものである。
【発明の効果】
【００１３】
表示板と指標部に立体感を与えて、意匠性が高く視認性の良い指針式表示装置を得ることができる。
【発明を実施するための最良の形態】
【００１４】
本発明の第１実施形態を図１〜図５に基づいて説明する。図１は回転計１と速度計２を備えた指針式表示装置の正面図である。図２および図３は回転計１部分を示す部分断面図（図１に於けるＡ−Ａ断面，Ｂ−Ｂ断面）である。図４は立体表示板を示す部分斜視図であり、図５は遮光部を示す部分斜視図である。なお、速度計２に関する説明は省略する。
【００１５】
回転計１（指針式表示装置）は、硬質な回路基板３と、この回路基板３の裏面側に回路基板３と導通状態で装着され、回路基板３を貫通して前方に延びる回動軸４を有する回転計１用の表示器本体５と、回動軸４の先端側に固着され指示部６を有する指針７と、指示部６の回動に対応するように指示部６先端に対向して配置された筒状の立体表示板８と、立体表示板８の内周面に配置された遮光部９と、指針７および立体表示板８の前方に配置され指標部１０を有する透明な平板表示板１１と、この平板表示板１１と立体表示板８との間に配置された透過性着色部１２と、平板表示板８と回路基板３との間に配置され立体表示板８が保持されるハウジング１３と、立体表示板８とハウジング１３との間に配置された装飾板１４を備えている。
【００１６】
また、回路基板３に実装され立体表示板８および平板表示板１１に光を導き入れる光源としての発光ダイオード１５と、指針７を照明する指針用光源としての指針用発光ダイオード１６と、平板表示板１１の周縁側に配置され平板表示板１１の可視領域を定める開口穴１７を有する例えば黒色の合成樹脂からなる見返し部材１８と、見返し部材１８の開口穴１７周囲に配置され例えばシルバーメタリック調の合成樹脂或いはシルバーメタリック調の表面処理を施した加飾リング１９と、平板表示板１１や見返し部材１８などの前方側を被う無色透明な合成樹脂からなる透視板２０と、回路基板３の裏面側を覆う合成樹脂製のカバー２１などを備えている。
【００１７】
指針７は、指示部６および基部２２を有する無色透明な合成樹脂からなる指針本体２３と、基部２２が収納され後面側が開口された例えば黒色の合成樹脂からなる指針キャップ２４と、指示部６とは反対側の指針キャップ２４内に収納され黄銅や亜鉛などの金属系の材料からなるバランサー２５を備えている。基部２２には、指針軸２６と指針反射面２７が設けられており、指針軸２６を表示器本体５の回動軸４の先端側に圧入することによって指針７が表示器本体５に固着されるようになっている。また、指示部６の裏面には例えば白色の箔（図示せず）がホットスタンプされており、昼間など周囲が明るい時は指示部６が白色で視認される。また、夜間など周囲が暗い時に例えば白色で発光する指針用発光ダイオード１６が点灯した際も、基部２２に入射し指針反射面２７で反射して指示部６に導かれた光が白色の箔に反射して指示部６が白色で視認されるようになっている。
【００１８】
平板表示板１１は、無色透明な合成樹脂からなる基板２８の表面側に例えば車両のエンジン回転数を示す凸状の指標部１０（細目盛指標部１０Ａ，数字指標部１０Ｂ，文字指標部１０Ｃ）を基板２８と一体に形成したものであり、更に各指標部１０Ａ，１０Ｂ，１０Ｃに対応した基板２８の裏面側には例えば白色の反射層２９を印刷またはホットスタンプしてある（図１に於いては、各指標部を黒色で示す）。また、基板２８の周縁には反射面３０が形成してある。この反射面３０は、裏面側から基板２８内に入射した発光ダイオード１５からの光を基板２８の平面方向（中心方向）に反射させるものである。なお、指標部１０を凸状としたが平らな基板２８面に透過層を印刷またはホットスタンプして指標部１０としても良い。或いは基板２８の表面側に何も設けないでも良い。その場合、反射層２９が指標部１０となる。
【００１９】
立体表示板８は、無色透明な筒状の合成樹脂からなり、指針７の指示部６先端に対向して配置されている。立体表示板８の内面は、前方側（平板表示板１１側）から後方側（装飾板１４側）にかけて狭まるように傾斜する傾斜面３１となっている。そしてこの傾斜面３１に、図４に示す様に傾斜面３１に沿うように前方側から後方側にかけて直線状でほぼ一定幅Ｗの傾斜した凸状指標部としての太目盛指標部３２が設けてある（図１に於いては、太目盛指標部３２を黒色の破線で示す）。
【００２０】
遮光部９は、遮光性を有する例えば黒色の合成樹脂からなり、立体表示板８の傾斜面３１に配置される。この際、図５に示す様に、立体表示板８に設けられた太目盛指標部３２に対応した箇所には太目盛指標部３２の幅Ｗと同一幅のスリット３３が設けてある。即ち、遮光部９は太目盛指標部３２を除いた傾斜面３１に配置される。なお、遮光部９は立体表示板８と一体成形するようにしても良い。
【００２１】
装飾板１４は、詳細は図示しないが、円板状の合成樹脂シートの表面側に例えばシルバーメタリック調の印刷を施したものであり、立体表示板８の後端開口部を塞ぐように配置してある。
【００２２】
透過性着色部１２は、詳細は図示しないが、無色透明なドーナツ盤状の合成樹脂シートの表面側に例えば青色の透過性着色層を印刷したものであるが、透過性を有する青色で着色された合成樹脂製のシート材であっても良い。なお、透過性着色部１２は平板表示板１１の裏面側あるいは立体表示板８の表面側（前面側）に印刷するようにしたものでも良い。
【００２３】
ハウジング１３は、遮光性のある例えば白色の合成樹脂からなり、装飾板１４および立体表示板８が保持される前面部３４と、指針用発光ダイオード１６を囲むように配置された断面が円形の筒部３５と、発光ダイオード１５を囲むように配置された仕切壁３６や外周壁３７などを有している。
【００２４】
この様に構成された指針式表示装置に於いて、夜間など周囲が暗い時に例えば白色で発光する発光ダイオード１５が点灯すると、発光ダイオード１５からの光は立体表示板８の後端面から立体表示板８内に入射し、凸状指標部である太目盛指標部３２が白色で透過照明する。太目盛指標部３２以外の傾斜面３１には遮光部９が配置されているため、この傾斜面３１からは出射されない。また、立体表示板８内に入射した光は立体表示板８の前端面から出射し、透過性着色部１２を通り抜けて平板表示板１１に入射する。この際、透過性着色部１２には青色の透過性着色層が設けられているために、平板表示板１１に入射した光は青色となる。青色光は平板表示板１１の反射面３０に反射して中心側に向かう。この光が反射層２９に反射することによって各指標部１０Ａ，１０Ｂ，１０Ｃが青色で視認されるようになる。
【００２５】
この様に、指針７の指示部６先端に対向するように配置された筒状の立体表示板８と、指針７および立体表示板８の前方に配置され指標部１０を有する透明な平板表示板１１とを備え、立体表示板８は、内面が前方側から後方側にかけて狭まるように傾斜する傾斜面３１としてあり、この傾斜面３１に透光性である凸状指標部としての太目盛指標部３２を設けたことにより、指標部１０に対して太目盛指標部３２が奥まって視認される。この際、傾斜面３１に傾斜した直線状の太目盛指標部３２を設けたため、真上から見た状態でも太目盛指標部３２がすぼんだ状態で視認され、奥行き感が更に増す。
【００２６】
また、平板表示板１１の表面側に凸状の指標部１０が設けてあるため、指標部１０自体に立体感がでる。更に、指標部１０が平板表示板１１の表面側であり、指標部１０に対応した反射層２９が平板表示板１１の裏面側に設けられ、指標部１０と反射層２９が離れているために、より立体感のある指標部１０となる。
【００２７】
また、立体表示板８とハウジング１３との間に立体表示板８の後端開口部を塞ぐように装飾板１４を配置したことにより、装飾板１４が指標部１０に対する地部となり、地部と指標部１０が離れていることで奥行き感、つまり立体感が増す。
【００２８】
また、太目盛指標部３２を除いた傾斜面３１に遮光部９を設けることによって、発光ダイオード１５が点灯した際、太目盛指標部３２のみを強調して透過照明することができ、視認性および意匠性の高い指針式表示装置を得ることができる。
【００２９】
また、平板表示板１１と立体表示板８との間に透過性着色部１２を設けたことにより、発光ダイオード１５が点灯した際、平板表示板１１に入射する光を発光ダイオード１５の発光色と異ならせることが可能であり、これにより、立体表示板８の太目盛指標部３２の照明色と平板表示板１１の指標部１０の照明色を変化させて商品性の高い指針式表示装置を提供することができる。
【００３０】
なお、本実施形態に於いては、立体表示板８の傾斜面３１に遮光部９を設けたが無くとも良い。その場合、例えば太目盛指標部３２である凸面に微細なシボを施すことによって、発光ダイオード１５からの光を乱反射させることで視認性を高め、傾斜面３１と区別するようにしても良い。
【００３１】
本発明の第２実施形態を図６に基づいて説明する。図６は回転計１部分を示す部分断面図（図１に於けるＢ−Ｂ断面に相当）である。本実施形態は前記第１実施形態とは遮光部９，装飾板１４，指針７が異なる。なお、前記第１実施形態と同一もしくは相当箇所については同一符号を付して詳細説明は省略する。
【００３２】
遮光部９は、前記第１実施形態と同様に、遮光性を有する例えば黒色の合成樹脂からなり、立体表示板８の傾斜面３１に配置される。この際、立体表示板８に設けられた太目盛指標部３２に対応した箇所には図５に示す様なスリット３３が設けてある。この遮光部９は太目盛指標部３２を除いた傾斜面３１に配置されるが、遮光部９を立体表示板８の傾斜面３１に配置した際、傾斜面３１の後端側が全周に渡って露出するように開口部３８を設けてある。即ち、本実施形態に於ける遮光部９は、遮光部９の後端と装飾板１４との間に所定の隙間ができるような寸法設定としてある。
【００３３】
装飾板１４は、詳細は図示しないが、円板状の合成樹脂シートの表面側に例えばシルバーメタリック調の印刷を施し、この印刷層の前面側に微細な模様としてのヘアライン３９を設けたものである。ヘアライン３９は、例えば無色透明なインクを装飾板１４の中心（指針７の中心でもある）を原点とする同心円を印刷によって無数形成したものである。なお、ヘアライン３９は装飾板１４の中心から放射状に延びる無数の直線であっても良い。
【００３４】
指針７は、前記第１実施形態と同様に、指示部６および基部２２を有する指針本体２３と、指針キャップ２４と、バランサー２５を備えている。本実施形態に於ける基部２２には、指針軸２６と指針反射面２７と中心に円錐面からなる基部反射面４０が設けてある。また、指針キャップ２４の周壁４１全周には一定の間隔をおいて複数の孔４２または切り欠きが設けてある。
【００３５】
この様に構成したことにより、前記第１実施形態と同様に、立体感を与えて、意匠性が高く視認性の良い指針式表示装置を得ることができる。また、装飾板１４の表面側に微細な模様としてのヘアライン３９を設けたことにより、立体感に加えて高級感も得られる。
【００３６】
また、遮光部９に開口部３８を設けたことにより、夜間など周囲が暗い時に例えば白色で発光する発光ダイオード１５が点灯すると、発光ダイオード１５からの光が開口部３８から装飾板１４面に漏れてヘアライン３９が照らし出される。それによって、夜間であってもヘアライン３９が設けられた装飾板１４が指標部１０に対する地部として視認され、意匠性が高まると共に奥行き感が更に増す。
【００３７】
また、指針７の基部２２中心に円錐面からなる基部反射面４０が設け、指針キャップ２４の周壁４１全周に複数の孔４２を設けたことにより、夜間など周囲が暗い時に例えば白色で発光する指針用発光ダイオード１６が点灯した際、基部２２に入射した光の一部が基部反射面４０で反射して孔４２から装飾板１４面に漏れてヘアライン３９が照らし出される。それによって、遮光部９の開口部３８からの漏光に加えて指針キャップ２４の孔４２からの漏光も加わり、装飾板１４の周縁側および中心側からヘアライン３９が照らし出され、夜間に於いても意匠性が高まると共に奥行き感が更に増すようになる。
【００３８】
なお、本実施形態に於いては、遮光部９の全周に一定の開口部３８を設けたが、開口部３８は全周一定にする必要はない。また、開口部３８は全周に設ける必要もない。装飾板１４を照らしたい箇所に対応して部分的に設けるなど必要に応じて設ければ良い。
【００３９】
本発明の第３実施形態を図７に基づいて説明する。図７は回転計１部分を示す部分断面図（図１に於けるＡ−Ａ断面に相当）である。本実施形態は前記第２実施形態とは立体表示板８と平板表示板１１が異なる。なお、前記各実施形態と同一もしくは相当箇所については同一符号を付して詳細説明は省略する。
【００４０】
立体表示板８は、前記各実施形態と同様に、無色透明な筒状の合成樹脂からなり、指針７の指示部６先端に対向して配置されている。立体表示板８の内面は、前方側（平板表示板１１側）から後方側（装飾板１４側）にかけて狭まるように傾斜する傾斜面３１となっている。そしてこの傾斜面３１に沿うように傾斜した凸状指標部としての太目盛指標部３２が前方側から後方側にかけて直線状に設けてある。また、この太目盛指標部３２には平板表示板１１を貫通して前方側に突出する突出部４３を有している。
【００４１】
平板表示板１１は、前記各実施形態と同様に無色透明な合成樹脂からなり、凸状の指標部１０と白色の反射層２９が設けてある。また、立体表示板８に設けられた突出部４３が貫通するための切れ目４４が設けてある。なお、突出部４３が貫通するようであれば孔でも良い。
【００４２】
この様に構成したことにより、前記第２実施形態と同様の効果が得られる。また、立体表示板８に突出部４３を有する太目盛指標部３２を形成し、この突出部４３を平板表示板１１を貫通して前方側（視認者側）に突出するようにしたことにより、太目盛指標部３２が平板表示板１１の前面側にも位置することで、立体感がより増す。また、平板表示板１１の表面側に各指標部１０と共に太目盛指標部３２が視認され指針式表示装置の視認性も良い。
【００４３】
本発明の第４実施形態を図８に基づいて説明する。図８は回転計１部分を示す部分断面図（図１に於けるＡ−Ａ断面に相当）である。本実施形態は前記第２実施形態をベースとして、平板表示板１１の前方側に透過性着色部１２と環状部材４５を配置したものである。なお、前記各実施形態と同一もしくは相当箇所については同一符号を付して詳細説明は省略する。
【００４４】
環状部材４５は、無色透明な筒状の合成樹脂からなり、平板表示板１１上の周縁側に配置されている。この環状部材４５には、立体表示板８に設けられた凸状指標部としての太目盛指標部３２の延長線上に位置するように太目盛指標部３２とほぼ同一幅に設けられた目盛部４７を有している。
【００４５】
透過性着色部１２は、詳細は図示しないが前記各実施形態と同様に、無色透明なドーナツ盤状の合成樹脂シートの表面側に例えば青色の透過性着色層を印刷したものであるが、透過性を有する青色で着色された合成樹脂製のシート材であっても良い。本実施形態に於ける透過性着色部１２は環状部材４５と平板表示板１１との間に配置してある。なお、透過性着色部１２は平板表示板１１の表面側あるいは環状部材４５の裏面側に印刷するようにしたものでも良い。
【００４６】
指針７は、前記第１実施形態と同様に、指示部６および基部２２を有する指針本体２３と、指針キャップ２４と、バランサー２５を備えている。本実施形態に於ける基部２２は、指針軸２６と指針反射面２７と指針軸２６の回りに設けられた円錐状の軸反射面４６とを有している。
【００４７】
なお、立体表示板８，遮光部９，平板表示板１１および装飾板１４は前記第２実施形態と同一であり、説明は省略する。
【００４８】
この様に、平板表示板１１上の周縁側に、立体表示板８に設けられた太目盛指標部３２の延長線上に位置するように設けられた目盛部４７を有する環状部材を配置したことにより、太目盛指標部３２と目盛部４７とが一体感を生じ、立体感がより増す。また、平板表示板１１の表面側に各指標部１０と共に太目盛指標部３２が視認され指針式表示装置の視認性も良い。
【００４９】
また、平板表示板１１と環状部材４５との間に透過性着色部１２を設けたことにより、発光ダイオード１５が点灯した際、環状部材４５に入射する光を発光ダイオード１５の発光色と異ならせることが可能であり、これにより、立体表示板８の太目盛指標部３２の照明色と環状部材４５の目盛部４７の照明色を変化させて商品性の高い指針式表示装置を提供することができる。
【００５０】
また、指針７の指針軸２６の回りに円錐状の軸反射面４６を設けることによって、夜間など周囲が暗い時に例えば白色で発光する指針用発光ダイオード１６が点灯した際、基部２２に入射した光の一部が軸反射面４６で反射して指針キャップ２４と装飾板１４との間から装飾板１４面に漏れてヘアライン３９が照らし出される。それによって、遮光部９の開口部３８からの漏光に加えて指針キャップ２４と装飾板１４との間からの漏光も加わり、装飾板１４の周縁側および中心側からヘアライン３９が照らし出され、夜間に於いても意匠性が高まると共に奥行き感が更に増すようになる。
【００５１】
以上の通り、本発明の実施形態について説明したが、本発明は前記各実施形態に限定するものではない。例えば、立体表示板８に突出部４３を設けた第３実施形態は、第２実施形態をベースとしたが、第１実施形態で示した立体表示板８に突出部を設けても良い。同様に、平板表示板１１の前方側に透過性着色部１２と環状部材４５を配置した第４実施形態は、第２実施形態をベースとしたが、第１実施形態で示した平板表示板１１の前方側に透過性着色部１２と環状部材を配置しても良い。
【図面の簡単な説明】
【００５２】
【図１】本発明の第１実施形態を示す指針式表示装置の正面図。
【図２】同指針式表示装置である回転計の部分断面図（図１に於けるＡ−Ａ断面）。
【図３】同指針式表示装置である回転計の部分断面図（図１に於けるＢ−Ｂ断面）。
【図４】同回転計に用いられる立体表示板の部分斜視図。
【図５】同回転計に用いられる遮光部の部分斜視図。
【図６】本発明の第２実施形態を示す回転計の部分断面図（図１に於けるＢ−Ｂ断面に相当）。
【図７】本発明の第３実施形態を示す回転計の部分断面図（図１に於けるＡ−Ａ断面に相当）。
【図８】本発明の第４実施形態を示す回転計の部分断面図（図１に於けるＡ−Ａ断面に相当）。
【符号の説明】
【００５３】
６  指示部
７  指針
８  立体表示板
９  遮光部
１０  指標部
１１  平板表示板
１２  透過性着色部
１４  装飾板
１５  発光ダイオード（光源）
３１  傾斜面
３２  太目盛指標部（凸状指標部）
３８  開口部
３９  ヘアライン（微細な模様）
４３  突出部
４５  環状部材
４７  目盛部
【図１】
2010127813.tif 000003
【図２】
2010127813.tif 000004
【図３】
2010127813.tif 000005
【図４】
2010127813.tif 000006
【図５】
2010127813.tif 000007
【図６】
2010127813.tif 000008
【図７】
2010127813.tif 000009
【図８】
2010127813.tif 000010